(57)【要約】【課題】エアー抜きの分岐部を越えて下流側に気泡（エアー）が流れてしまっても、これを確実にエアー抜きすることができる液体配管のエアー抜き構造および液滴吐出装置を提供すること。【解決手段】液体が流れる機能液主管９１の途中に設けたＴ字継手１０１により、機能液中の気泡Ｂを除去するエアー抜き配管１０４を上向きに分岐させた液体配管のエアー抜き構造であって、Ｔ字継手１０１は、機能液主管９１の上流側となる上流側液体主管１０２が接続される流入ポート１１１と、機能液主管９１の下流側となる下流側液体主管１０３が接続される流出ポート１１２と、エアー抜き配管１０４の上流側が接続される上向きのエアー抜きポート１１３と、を備え、流出ポート１１３は、斜め下向きに配設されているものである。【選択図】図７
2010022953.tif 000002
【特許請求の範囲】
【請求項１】
液体が流れる液体主管の途中に設けた分岐継手により、液体中の気泡を除去するエアー抜き配管を上向きに分岐させた液体配管のエアー抜き構造であって、
前記分岐継手は、前記液体主管の上流側となる上流側液体主管が接続される流入ポートと、前記液体主管の下流側となる下流側液体主管が接続される流出ポートと、前記エアー抜き配管の上流側が接続される上向きのエアー抜きポートと、を備え、
前記流出ポートは、斜め下向きに配設されていることを特徴とする液体配管のエアー抜き構造。
【請求項２】
前記分岐継手は、分岐ポートを前記エアー抜きポートとするＴ字継手であり、
前記流出ポートは、斜め下向き略４５°の角度に配設されていることを特徴とする請求項１に記載の液体配管のエアー抜き構造。
【請求項３】
前記上流側液体主管は、下方からループ状に配管され、斜め下向き略４５°の角度で前記流入ポートに接続されていることを特徴とする請求項２に記載の液体配管のエアー抜き構造。
【請求項４】
前記エアー抜き配管の下流端には、前記気泡をトラップする廃液タンクが接続されていることを特徴とする請求項１ないし３のいずれかに記載の液体配管のエアー抜き構造。
【請求項５】
前記流入ポート近傍の前記上流側液体主管に臨み、前記上流側液体主管を流れる前記液体中の気泡を検出する気泡検出センサと、
前記エアー抜きポート近傍の前記エアー抜き配管に介設され、前記エアー抜き配管を開閉するエアー抜きバルブと、
前記気泡検出センサの気泡検出に基づいて、前記エアー抜きバルブを開放させるバルブ制御手段と、を更に備えたことを特徴とする請求項１ないし４のいずれかに記載の液体配管のエアー抜き構造。
【請求項６】
前記流出ポートの近傍の前記下流側液体主管に介設され、前記下流側液体主管を開閉する開閉バルブを、更に備え、
前記バルブ制御手段は、前記エアー抜きバルブの開放に同期して前記開閉バルブを閉塞することを特徴とする請求項５に記載の液体配管のエアー抜き構造。
【請求項７】
ワークに対し、インクジェット方式の機能液滴吐出ヘッドを相対的に移動させながら、前記機能液滴吐出ヘッドから機能液滴を吐出させて描画を行う描画手段と、
前記液体が前記機能液であり、前記下流側液体主管の下流端が前記機能液滴吐出ヘッドに接続された請求項１ないし６のいずれかに記載の液体配管のエアー抜き構造と、を備えたことを特徴とする液滴吐出装置。
【請求項８】
前記上流側液体主管の上流端には、前記液体を貯留した一対の液体タンクと、前記一対の液体タンクと前記上流側液体主管とを選択的に連通する流路切替え手段と、が接続されていることを特徴とする請求項７に記載の液滴吐出装置。
【発明の詳細な説明】
【技術分野】
【０００１】
本発明は、液体が流れる液体主管の途中に設けた分岐継手により、液体中の気泡を除去するエアー抜き配管を分岐させた液体配管のエアー抜き構造および液滴吐出装置に関するものである。
【背景技術】
【０００２】
従来、この種の液体配管のエアー抜き構造（気泡の排出構造）として、インクを貯留したインクタンクと、上流端をインクタンクに接続され下流端をインクジェットヘッドに接続したインクチューブと、インクタンクの近傍に位置してインクチューブに介設され、インクタンクからインクジェットヘッドにインクを送液するポンプと、ポンプとインクジェットヘッドとの間のインクチューブに介設され、インクチューブ内の気泡を除去する泡抜き用分岐弁と、泡抜き用分岐弁の分岐側に接続された排出チューブと、を有するものが知られている（特許文献１参照）。
この気泡の排出構造では、インクチューブおよび排出チューブを連通させるように泡抜き用分岐弁を切換えた後、ポンプを駆動する。これにより、インクチューブ内の気泡が、インクタンクから供給されたインクに押し出されるようにして排出チューブから排出される。
【特許文献１】特開平１０−２３９５１０号公報
【発明の開示】
【発明が解決しようとする課題】
【０００３】
しかしながら、このような従来の気泡の排出構造では、泡抜き用分岐弁が三方弁で構成されているため、泡抜き用分岐弁を越えてその下流側に達した気泡は、例え泡抜き用分岐弁を開放しても除去する（抜く）ことができない問題があった。例えば、泡抜き用分岐弁を越えたところで気泡に気づきポンプを停止しても、気泡は、水平に配管されているインクチューブの直上の天面まで浮上はするが、水平方向には移動せず、泡抜き用分岐弁を開放してもこれを抜くことはできない。
【０００４】
そこで、本発明は、エアー抜きの分岐部を越えて下流側に気泡（エアー）が流れてしまっても、これを確実にエアー抜きすることができる液体配管のエアー抜き構造および液滴吐出装置を提供することをその課題としている。
【課題を解決するための手段】
【０００５】
本発明の液体配管のエアー抜き構造は、液体が流れる液体主管の途中に設けた分岐継手により、液体中の気泡を除去するエアー抜き配管を上向きに分岐させた液体配管のエアー抜き構造であって、分岐継手は、液体主管の上流側となる上流側液体主管が接続される流入ポートと、液体主管の下流側となる下流側液体主管が接続される流出ポートと、エアー抜き配管の上流側が接続される上向きのエアー抜きポートと、を備え、流出ポートは、斜め下向きに配設されていることを特徴とする。
【０００６】
この構成によれば、上流側から気泡混じりの液体が流れてきた場合、液体中の気泡は、浮力により浮上し、上向きに分岐したエアー抜きポートを介してエアー抜き配管へ流れ込む。また、気泡混じりの液体が、分岐継手のエアー抜きポート（分岐部）を越えて流出ポートに流れ込んだ場合であっても、液体中の気泡は、その浮力により浮上し、斜め下向きの流出ポートの天面を伝わって、エアー抜きポートに流れ込む。すなわち、流出ポートが斜め下向きに配設されているため、気泡混じりの液体がエアー抜きポートを越えて流出ポートに流れ込んでも、液体の流速が極端に速いものでないかぎり、液体中の気泡をエアー抜き配管に抜き取ることができ、液体主管を流れる液体に対し確実にエアー抜きを行うことができる。なお、「エアー抜き」の「エアー」の言は、空気だけでなく不活性ガス等、広く気体を意味するものである。
【０００７】
この場合、分岐継手は、分岐ポートをエアー抜きポートとするＴ字継手であり、流出ポートは、斜め下向き略４５°の角度に配設されていることが、好ましい。
【０００８】
この構成によれば、流入ポートからエアー抜きポートへの気泡の円滑な流れ込みを阻害することなく、流出ポートからエアー抜きポートへの気泡の流れ込みを促進することができ、単純な構造で確実にエアー抜きを行うことができる。
【０００９】
また、上流側液体主管は、下方からループ状に配管され、斜め下向き略４５°の角度で流入ポートに接続されていることが、好ましい。
【００１０】
この構成によれば、上流側液体主管を屈曲させ或いは別途継手を用いることなく、上流側液体主管をＴ字継手に繋ぎ込むことができ、流体の圧力損失を極力少なくすることができる。
【００１１】
さらに、エアー抜き配管の下流端には、気泡をトラップする廃液タンクが接続されていることが、好ましい。
【００１２】
この構成によれば、気泡混じりの液体が貯留した場合、その液体から気泡を除去すれば、液体を再利用することができる。
【００１３】
これらの場合、流入ポート近傍の上流側液体主管に臨み、上流側液体主管を流れる液体中の気泡を検出する気泡検出センサと、エアー抜きポート近傍のエアー抜き配管に介設され、エアー抜き配管を開閉するエアー抜きバルブと、気泡検出センサの気泡検出に基づいて、エアー抜きバルブを開放させるバルブ制御手段と、を更に備えることが、好ましい。
【００１４】
この場合、流出ポートの近傍の下流側液体主管に介設され、下流側液体主管を開閉する開閉バルブを、更に備え、バルブ制御手段は、エアー抜きバルブの開放に同期して開閉バルブを閉塞することが、好ましい。
【００１５】
これらの構成によれば、気泡検出センサが気泡を検出すると、バルブ制御手段がエアー抜きバルブを開放する。これにより、上流側液体主管内を流れる気泡をエアー抜きポートに効率良く導くことができる。また、液体主管に液体を充填する場合に、特に有用である。
【００１６】
本発明の液滴吐出装置は、ワークに対し、インクジェット方式の機能液滴吐出ヘッドを相対的に移動させながら、機能液滴吐出ヘッドから機能液滴を吐出させて描画を行う描画手段と、液体が機能液であり、下流側液体主管の下流端が機能液滴吐出ヘッドに接続された上記の液体配管のエアー抜き構造と、を備えたことを特徴とする。
【００１７】
この構成によれば、気泡のない機能液を機能液滴吐出ヘッドに供給することができるため、機能液滴吐出ヘッドによる描画を良好に行なうことができる。
【００１８】
この場合、上流側液体主管の上流端には、液体を貯留した一対の液体タンクと、一対の液体タンクと上流側液体主管とを選択的に連通する流路切替え手段と、が接続されていることが好ましい。
【００１９】
この構成によれば、一方の液体タンクから他方の液体タンクに流路切替えした際に、上流側液体主管に気泡が混入した場合であっても、これを確実に除去することができ、気泡のない機能液を機能液滴吐出ヘッドに供給することができる。
【発明を実施するための最良の形態】
【００２０】
以下、添付の図面を参照して、本発明の液体配管のエアー抜き構造（以下、単に「エアー抜き構造」という。）を備えた液滴吐出装置について説明する。この液滴吐出装置は、フラットパネルディスプレイの製造ラインに組み込まれており、例えば、特殊なインクや発光性の樹脂液である機能液を導入した機能液滴吐出ヘッドを用い、液晶表示装置のカラーフィルタや有機ＥＬ装置の各画素となる発光素子等を形成するものである。
【００２１】
図１ないし図３に示すように、液滴吐出装置１は、石定盤に支持されたＸ軸支持ベース２１上に配設され、主走査方向となるＸ軸方向に延在してワークＷをＸ軸方向に移動させるＸ軸テーブル２と、複数本の支柱１１を介してＸ軸テーブル２を跨ぐように架け渡された１対のＹ軸支持ベース３１上に配設され、副走査方向となるＹ軸方向に延在するＹ軸テーブル３と、Ｙ軸テーブル３に移動自在に吊設され、複数（１２個）の機能液滴吐出ヘッド１３が搭載された１３個のキャリッジユニット４と、から構成されている。さらに、液滴吐出装置１は、これらの装置を、温度および湿度が管理された雰囲気内に収容するチャンバ５と、チャンバ５を貫通して、機能液滴吐出ヘッド１３に機能液を供給する機能液供給ユニット６と、を備えており、チャンバ５の側壁の一部には、機能液を貯留するメインタンク（液体タンク）８１等を収納するタンクキャビネット１４が設けられている。液滴吐出装置１は、Ｘ軸テーブル２およびＹ軸テーブル３の駆動と同期して機能液滴吐出ヘッド１３を吐出駆動させることにより、機能液供給ユニット６から供給された６色の機能液滴を吐出させ、ワークＷに所定の描画パターンが描画される。
【００２２】
また、液滴吐出装置１は、フラッシングユニット１５、吸引ユニット１６、ワイピングユニット１７、吐出性能検査ユニット１８から成るメンテナンス装置７を備えており、これらユニットを機能液滴吐出ヘッド１３の保守に供して、機能液滴吐出ヘッド１３の機能維持・機能回復を図るようになっている。本実施形態の液滴吐出装置１では、Ｘ軸テーブル２とＹ軸テーブル３とが交わる部分にキャリッジユニット４を臨ませてワークＷの描画を行い、Ｙ軸テーブル３とメンテナンス装置７（吸引ユニット１６、ワイピングユニット１７）が交わる部分にキャリッジユニット４を臨ませて、機能液滴吐出ヘッド１３の機能維持・機能回復を行う。
【００２３】
図２および図３に示すように、Ｘ軸テーブル２は、ワークＷを吸着セットすると共にθ軸方向に補正可能な機構を有するセットテーブル２２と、セットテーブル２２をＸ軸方向にスライド自在に支持するＸ軸第１スライダ２３と、上記のフラッシングユニット１５および吐出性能検査ユニット１８をＸ軸方向にスライド自在に支持するＸ軸第２スライダ２４と、Ｘ軸方向に延在し、Ｘ軸第１スライダ２３およびＸ軸第２スライダ２４をＸ軸方向に移動させる左右一対のＸ軸リニアモータ（図示省略）と、を備えている。
【００２４】
Ｙ軸テーブル３は、１３個のキャリッジユニット４をそれぞれ吊設した１３個のブリッジプレート３２と、１３個のブリッジプレート３２を両持ちで支持する１３組のＹ軸スライダ（図示省略）と、一対のＹ軸支持ベース３１上に設置され、ブリッジプレート３２をＹ軸方向に移動させる一対のＹ軸リニアモータ（図示省略）と、を備えている。また、Ｙ軸テーブル３は、各キャリッジユニット４を介して描画時に機能液滴吐出ヘッド１３を副走査するほか、機能液滴吐出ヘッド１３を吸引ユニット１６およびワイピングユニット１７に臨ませる。この場合、各キャリッジユニット４を独立させて個別に移動させることも可能であるし、１３個のキャリッジユニット４を一体として移動させることも可能である。なお、請求項に言う描画手段とは、Ｘ軸テーブル２、Ｙ軸テーブル３およびキャリッジユニット４（機能液滴吐出ヘッド１３およびヘッドユニット４２）から構成されている。
【００２５】
各キャリッジユニット４は、Ｒ・Ｇ・Ｂ・Ｃ・Ｍ・Ｙの６色、各２個（計１２個）の機能液滴吐出ヘッド１３と、１２個の機能液滴吐出ヘッド１３を６個ずつ２群に分けて支持するヘッドプレート４１と、から成るヘッドユニット４２を備えている（図４参照）。また、各キャリッジユニット４は、ヘッドユニット４２をθ補正（θ回転）可能に支持するθ回転機構４３と、θ回転機構４３を介して、ヘッドユニット４２をブリッジプレート３２に支持させる吊設部材４４と、を備えている。加えて、各キャリッジユニット４は、その上部にサブタンク７２が配設されており（実際には、ブリッジプレート３２上に配設）、このサブタンク７２から自然水頭を利用し、かつ圧力調整弁１１５を介して各機能液滴吐出ヘッド１３に機能液が供給されるようになっている。なお、本実施形態においては、キャリッジユニット４の個数および各キャリッジユニット４に搭載される機能液滴吐出ヘッド１３の個数は任意である。
【００２６】
図５に示すように、機能液滴吐出ヘッド１３は、いわゆる２連のインクジェットヘッドであり、２連の接続針５４を有する機能液導入部５１と、機能液導入部５１に連なる２連のヘッド基板５２と、ヘッド基板５２の下方に連なり機能液を吐出するヘッド本体５３と、を備えている（図５（ａ））。
【００２７】
機能液導入部５１は、一対の接続針５４を有しており、サブタンク７２から機能液の供給を受けるようになっている。また、ヘッド本体５３は、ピエゾ素子等で構成される２連のポンプ部５５と、複数の吐出ノズル５７が形成されたノズル面５８を有するノズルプレート５６と、を有している。ノズルプレート５６のノズル面５８に形成された多数の吐出ノズル５７は、相互に平行且つ半ノズルピッチ位置ズレして列設された２列のノズル列ＮＬを構成しており、各ノズル列ＮＬは、等ピッチで並べた１８０個の吐出ノズル５７で構成されている（図５（ｂ）参照）。制御装置１１４から出力された駆動波形がヘッド基板５２を介して各ポンプ部５５（圧電素子）に印加されることで、各吐出ノズル５７から機能液が吐出される。
【００２８】
次に、図１および図６を参照して、機能液供給ユニット６について説明する。機能液供給ユニット６は、Ｒ・Ｇ・Ｂ・Ｃ・Ｍ・Ｙの６色に対応した６組の機能液供給装置６１を備えている。また、機能液供給ユニット６は、メインタンク８１およびサブタンク７２等に制御用の圧縮窒素ガスを供給する窒素ガス供給設備６２と、各種開閉弁の制御用の圧縮エアーを供給する圧縮エアー供給設備６３と、各部からガス排気を行うためのガス排気設備６４と、を備えている。６組の機能液供給装置６１は、それぞれＲ・Ｇ・Ｂ・Ｃ・Ｍ・Ｙの６色に対応した機能液滴吐出ヘッド１３に接続されており、これにより、各色の機能液滴吐出ヘッド１３には対応する色の機能液が供給される。
【００２９】
各機能液供給装置６１は、機能液の供給源を構成する一対のメインタンク８１を有するメインタンクユニット７１と、各キャリッジユニット４に対応して設けた１３個のサブタンク７２と、メインタンクユニット７１と各サブタンク７２を接続する上流側機能液流路７３と、各サブタンク７２と各機能液滴吐出ヘッド１３とを接続する１３組の下流側機能液流路７４と、を備えている。各メインタンク８１内の機能液は、これに接続して窒素ガス供給設備６２からの圧縮窒素ガスにより加圧され、上流側機能液流路７３を介して１３個のサブタンク７２に選択的に供給される。また同時に、各サブタンク７２は、ガス排気設備６４を介して大気開放され、必要量の機能液を受容する。そして、各サブタンク７２の機能液は、これに連なる機能液滴吐出ヘッド１３の駆動により、所定の水頭圧を維持しながら、下流側機能液流路７４を介して機能液滴吐出ヘッド１３に供給される。なお、上流側機能液流路７３および下流側機能液流路７４は、気体非透過性の樹脂チューブで構成されている。
【００３０】
メインタンクユニット７１は、機能液の供給源となる一対のメインタンク（液体タンク）８１，８１と、一対のメインタンク８１の重量をそれぞれ測定する一対の重量測定装置８２，８２と、メインタンク８１に貯留されている機能液の液位が減少することで吸い上げた気泡Ｂを検出する一対の気泡センサ８３，８３と、気泡Ｂ検出の結果に基づいて、上流側機能液流路７３への連通状態を一方のメインタンク８１から他方のメインタンク８１に切替える切替え機構（流路切替え手段）８４と、を備えている。
【００３１】
重量測定装置８２は、例えばロードセル等で構成され、機能液滴吐出ヘッド１３に機能液を送液することで、メインタンク８１内の機能液の液位が徐々に減少し、一方のメインタンク８１が所定の重量まで減量すると警告を発するようになっている。気泡センサ８３は、いわゆる光センサであり、上記の警告後、さらに機能液の送液を続けることで、その液位がメインタンク８１の底面付近まで挿入されたタンク配管８５の先端より下側に移行した場合に、タンク配管８５から吸い上げた気泡Ｂを検出する。この際、検出された気泡Ｂは、後述する第１エアー抜きユニット９３によって除去され、機能液滴吐出ヘッド１３に送られることはない。
【００３２】
切替え機構８４は、一対のメインタンク８１に接続した一対のタンク流路８６,８６と、上流側が一対のタンク流路８６,８６に接続されると共に、下流側が上流側機能液流路７３に接続されたタンク流路継手８７と、各タンク流路８６,８６に介設されたタンク開閉弁８８と、を備えている。上記の気泡センサ８３が気泡Ｂを検出すると、一方のタンク開閉弁８８を閉弁し、他方のタンク開閉弁８８を開弁することにより、他方のメインタンク８１に流路切替えが行われる（自動または手動）。
【００３３】
上流側機能液流路７３は、上流端をタンク流路８６に接続され、下流端を１３分岐流路９０に接続した機能液主管（液体主管）９１と、上流端を１３分岐流路９０に接続され下流端を各サブタンク７２に接続した１３本の機能液分岐管９２と、で構成されている。そして、機能液主管９１には、上流側から、主にメインタンク８１の交換時に流入した気泡Ｂを除去（エアー抜き）する第１エアー抜きユニット（エアー抜き構造）９３と、気体通過膜を介して機能液中に溶け込んでいる気泡Ｂ（この場合は、主にマイクロバブル）を除去する気泡除去ユニット９４と、主に初期充填時に使用され、機能液主管９１内のエアーを除去する第２エアー抜きユニット９５と、が順に介設されている。すなわち、機能液主管９１には、気泡Ｂを取り除く３つのユニット９３，９４，９５が介設されており、これらを用いて、描画に支障を生じないレベルまで気泡Ｂを除去した機能液をサブタンク７２に供給する。
【００３４】
次に、図６および図７を参照して、第１エアー抜きユニット９３について説明する。第１エアー抜きユニット９３は、メインタンクユニット７１の近傍において機能液主管９１に介設されたＴ字継手１０１と、Ｔ字継手１０１の流入側に接続された流入側液体主管（機能液主管９１のＴ字継手１０１より上流側）１０２と、Ｔ字継手１０１の流出側に接続された流出側液体主管（機能液主管９１のＴ字継手１０１より下流側）１０３と、Ｔ字継手１０１の分岐側に接続されたエアー抜き配管１０４と、Ｔ字継手１０１の近傍においてエアー抜き配管１０４に介設したエアー抜きバルブ（第１流路開閉手段）１０５と、Ｔ字継手１０１の近傍において流出側液体主管１０３に介設した開閉バルブ（第２流路開閉手段）１０６と、流入側液体主管１０２に臨む気泡検出センサ１０７と、エアー抜き配管１０４の下流端が接続した廃液タンク１０８と、から構成されている。また、両バルブ１０５，１０６および気泡検出センサ１０７は、上記の制御装置１１４に接続されている。
【００３５】
Ｔ字継手１０１は、流入側液体主管１０２が接続される流入ポート１１１と、流出側液体主管１０３が接続される流出ポート１１２と、エアー抜き配管１０４が接続されるエアー抜きポート１１３と、を備えている。また、Ｔ字継手１０１は、分岐ポートであるエアー抜きポート１１３が鉛直に向く、エアー抜きの一般的な設置状態から、全体として略４５°の角度傾いて配設されている。すなわち、このＴ字継手１０１では、分岐部を基点として、流入ポート１１１が斜め上向き略４５°の角度で、流出ポート１１２が斜め下向き略４５°の角度で、さらにエアー抜きポート１１３が鉛直から略４５°の角度で、それぞれ配設されている。これに対応して、樹脂チューブで構成された流入側液体主管１０２は４５°の角度で流入ポート１１１に接続され、同様に、流出側液体主管１０３は４５°の角度で流出ポート１１２に、エアー抜き配管１０４は４５°の角度でエアー抜きポート１１３に接続されている。流入側液体主管１０２を流れてきた気泡Ｂは、エアー抜きポート１１３に向って、その浮力により浮上し、エアー抜き配管１０４にエアー抜きされる。
【００３６】
流入側液体主管１０２は、上流端がタンク流路８６に接続されており、この下流端（下方）からループ状に配管（凸状に湾曲配管）され、斜め下向き略４５°の角度で流入ポート１１１に接続されている。これにより流入側液体主管１０２を屈曲させ或いは別途継手を用いることなく、流入側液体主管１０２をＴ字継手１０１に繋ぎ込むことができるため、流体の圧力損失を極力少なくすることができる。そして、流入側液体主管１０２のループ状部分の頂部近傍（Ｔ字継手１０１寄りの位置）には、機能液と共に流入側液体主管１０２を流れる気泡Ｂを検出する気泡検出センサ１０７が、外側から臨んでいる。頂部に達した気泡Ｂは、その浮力により機能液に比して流れる速度が遅くなるため、気泡検出センサ１０７により容易に検出される。
【００３７】
一方、Ｔ字継手１０１の近傍に位置して流出側液体主管１０３には、流出側液体主管１０３を開閉する開閉バルブ１０６が設けられている。詳細は後述するが、エアー抜きを実施する場合には、この開閉バルブ１０６を「閉」とし、上記のエアー抜きバルブ１０５を「開」として、機能液混じりの気泡Ｂがエアー抜き配管１０４に導かれる一方、流出側液体主管１０３に流れないようにする。
【００３８】
また、Ｔ字継手１０１近傍に位置してエアー抜き配管１０４には、エアー抜き配管１０４を開閉するエアー抜きバルブ１０５が設けられている。気泡検出センサ１０７により検出されなかった小さな気泡Ｂ等は、エアー抜きポート１１３部分に差し掛かったときにその浮力で上昇し、エアー抜きバルブ１０５の下側に溜まるようになっている。このエアー抜きバルブ１０５の下側に溜まった気泡Ｂは、エアー抜きバルブ１０５が開放されたときに除去されることになる。エアー抜き配管１０４の下流端は、気泡Ｂをトラップする廃液タンク１０８に接続されており、廃液タンク１０８に達した気泡Ｂ混じりの機能液は、ここで気−液分離される。なお、廃液タンク１０８は、廃液処理を容易に行えるようにチャンバ５外、例えば上記のタンクキャビネット１４に収容することが、好ましい。
【００３９】
次に、図８および図９を参照して、エアー抜き方法について説明する。このエアー抜き方法は、主に、メインタンク８１の交換時に吸い上げられた気泡Ｂをエアー抜きする場合に用いられる。メインタンク８１から流入側液体主管１０２に気泡Ｂ混じりの機能液が送られてくると、この気泡Ｂを気泡検出センサ１０７が検出する（図８（ａ）参照）。この検出信号は制御装置（バルブ制御手段）１１４に出力され、制御装置１１４は、エアー抜きバルブ１０５を「開」とすると同時に、開閉バルブ１０６を「閉」とし、流入側液体主管１０２とエアー抜き配管１０４とを連通（以下、単に「エアー抜き制御」という。）する（図８（ｂ）参照）。これにより、気泡Ｂ混じりの機能液は、エアー抜き配管１０４に送り込まれる。この場合の、エアー抜き制御のタイミングは、予め気泡Ｂが気泡検出センサ１０７から流出ポート１１２に到達する通過時間を求めておき、気泡Ｂが検出されてから通過時間経過直前に、両バルブ１０５，１０６を制御するようにしている。もっとも、開閉バルブ１０６の「閉」のタイミングが遅れ、気泡Ｂが流出ポート１１２に達することがあっても、開閉バルブ１０６が「閉」となったところで、気泡Ｂはその浮力で流出ポート１１２の天面を伝わってエアー抜き配管１０４に流れ込む。
【００４０】
そして、気泡Ｂ（気泡Ｂ混じりの機能液）をエアー抜きした後に、エアー抜きバルブ１０５を「閉」とすると同時に、開閉バルブ１０６を「開」とし、流入側液体主管１０２および流出側液体主管１０３を連通（以下、単に「復帰制御」という。）して、エアー抜きを終了する（図８（ｃ）参照）。なお、復帰制御のタイミングは、気泡検出センサ１０７による気泡Ｂの検出時間に対応させるようにするか、一定時間経過後に行うようにしてもよい。
【００４１】
ところで、上記した方法によってエアー抜きが終了した場合であっても、タンク配管８５の先端などに付着した気泡Ｂが、メインタンク８１内の機能液によって、徐々に押し出されて断続的に送られてくる場合がある。この場合にも、気泡検出センサ１０７が気泡Ｂを検出する度にエアー抜きを行う。すなわち、気泡検出センサ１０７が気泡Ｂを検出すると、両バルブ１０５，１０６をエアー抜き制御し、エアー抜きした後、両バルブ１０５，１０６を復帰制御する。これを気泡Ｂごとに繰り返すことで、機能液を無駄に廃液することなく、機能液中の気泡Ｂを確実にエアー抜きすることができる。なお、復帰制御前に気泡検出センサ１０７が、次に流れてきた気泡Ｂを検出した場合には、次の気泡Ｂをエアー抜きした後、復帰制御を行うようにしてもよい。
【００４２】
また、気泡Ｂが、気泡検出センサ１０７で検出されずに機能液の流れに乗って流出ポート１１２に達した場合であっても（図９（ａ）参照）、気泡Ｂは、その浮力でエアー抜きポート１１３に向って浮上し（図９（ｂ）参照）、エアー抜きバルブ１０５のところにトラップされる。トラップされた気泡Ｂは、上記のエアー抜き制御のときに、検出された気泡Ｂ（気泡Ｂ混じりの機能液）と共に、タンク１０８に排出される（図９（ｃ）参照）。また、小さな気泡Ｂが流入側液体主管１０２の頂部に貯留してしまった場合であっても、小さな気泡Ｂは、経時的にその頂部に集まるため、やがて大きな気泡Ｂとなり、気泡検出センサ１０７で検出され、エアー抜きされる（図示省略）。
【００４３】
なお、上記したエアー抜き方法は、機能液の機能液滴吐出ヘッド１３への機能液の初期充填時に用いてもよい。その際、流出ポート１１２に気泡Ｂが残った場合であっても、その気泡Ｂは、機能液により押し上げられ（浮上）て、エアー抜きバルブ１０５のところに貯留して、最終的にエアー抜きされた際にエアー抜きポート１１３に流れ込む（図示省略）。
【００４４】
以上の構成によれば、機能液中の気泡Ｂは、浮力により浮上し、分岐したエアー抜きポート１１３を介してエアー抜き配管１０４へ流れ込む。また、気泡Ｂ混じりの機能液が、エアー抜きポート１１３を越えて流出ポート１１２に流れ込んだ場合であっても、気泡Ｂは、その浮力により浮上し、斜め下向きに配設されている流出ポート１１２の天面を伝わってエアー抜きポート１１３に流れ込む。すなわち、いずれにしても、機能液中の気泡Ｂをエアー抜き配管１０４に抜き取ることができ、機能液に対し確実にエアー抜きを行うことができる。
【００４５】
次に、図１０を参照して、第２実施形態に係る第１エアー抜きユニット９３について説明する。この第１エアー抜きユニット９３は、Ｔ字継手１０１に代えて、Ｙ字継手１３０を上下反転して用いられているところが第１実施形態と異なる。すなわち、エアー抜きポート１１３を鉛直上向きとし、流入ポート１１１および流出ポート１１２を斜め下向きになるように、Ｙ字継手１３０を配置する。この場合でも、気泡Ｂは、エアー抜きポート１１３に向って、その浮力により浮上し、エアー抜き配管１０４にエアー抜きされる。特に、エアー抜きポート１１３が配管の頂部に位置するため、全ての気泡Ｂは、浮力により上昇してエアー抜きポート１１３に集まり、気泡検出センサ１０７により検出されない場合であっても、効率よくトラップされる。
【００４６】
上記実施形態の変形例として、流出ポート１１２が斜め下向きで、エアー抜きポート１１３が上向きであれば、Ｙ字継手１３０を横に倒すようにして使用してもよい。この場合、エアー抜きポート１１３を斜め上向きとし、流入ポート１１１を横（水平）向きとし、流出ポート１１２を斜め下向きになるように、Ｙ字継手１３０を配置する。この場合でも、気泡Ｂは、エアー抜き配管１０４にエアー抜きされる。
【００４７】
なお、気泡Ｂ混じりの機能液が流れる流速が遅い場合には、気泡Ｂは、浮力によりエアー抜きポート１１３に向って上昇するため、開閉バルブ１０６の閉塞動作を行う必要がなく、開閉バルブ１０６を省略してもよい。
【図面の簡単な説明】
【００４８】
【図１】本発明の実施形態に係る液滴吐出装置の斜視図である。
【図２】液滴吐出装置の平面図である。
【図３】液滴吐出装置の側面図である。
【図４】ヘッドユニットの平面模式図である。
【図５】機能液滴吐出ヘッドの表裏外観斜視図である。
【図６】機能液供給装置の配管系統図である。
【図７】第１エアー抜きユニット廻りの配管図である。
【図８】エアー抜き方法（１）を説明するための説明図である。
【図９】エアー抜き方法（２）を説明するための説明図である。
【図１０】第２実施形態に係る第１エアー抜きユニット廻りの配管図である。
【符号の説明】
【００４９】
１…液滴吐出装置  ２…Ｘ軸テーブル  ３…Ｙ軸テーブル  ４…キャリッジ  １３…機能液滴吐出ヘッド  ７３…上流側機能液流路  ８１…メインタンク  ８４…切替え機構  ８６…タンク流路  ８８…タンク開閉弁  ９３…第１エアー抜きユニット  １０１…Ｔ字継手  １０４…エアー抜き配管  １０８…廃液タンク  １１１…流入ポート  １１２…流出ポート  １１３…エアー抜きポート  １１４…制御装置  １０６…開閉バルブ  １０７…気泡検出センサ  １３０…Ｙ字継手  Ｗ…ワーク
【図１】
2010022953.tif 000003
【図２】
2010022953.tif 000004
【図３】
2010022953.tif 000005
【図４】
2010022953.tif 000006
【図５】
2010022953.tif 000007
【図６】
2010022953.tif 000008
【図７】
2010022953.tif 000009
【図８】
2010022953.tif 000010
【図９】
2010022953.tif 000011
【図１０】
2010022953.tif 000012